(57)【要約】【課題】建物の外観デザインを損なうことなく安全性が考慮され、且つ使い勝手のよい超微霧（所謂ドライミスト）噴霧機能を備えたバルコニ手摺りを提供する。【解決手段】超微霧噴霧機能を備えたバルコニ手摺りであって、タンク１の水を送るポンプ２に配管５を介して接続され、タンク１からの水を超微霧として噴霧するノズル１０と、バルコニの腰壁１００ｂに取り付けられた中空円筒状に形成され、その筒内にノズル１０を収納し保持するノズル保持部を有する手摺り１１０とを備える。手摺り１１０のノズル保持部は、外周面に開口が形成され且つ手摺り１１０の軸心を中心に周方向を回転可能になされている。また、ノズル１０は、ノズル保持部の筒内に、ノズル１０の吹出口を、ノズル保持部の開口から突出させた状態で固定される。配管５は、手摺り１１０の筒内を通って、手摺り１１０に収納されたノズル１０に接続される。【選択図】図１
2010138566.tif 000002
【特許請求の範囲】
【請求項１】
超微霧噴霧機能を備えたバルコニ手摺りであって、
タンクに貯水された水を送るポンプに配管を介して接続され、該タンクからの水を超微霧として噴霧するノズルと、
建物のバルコニの腰壁に取り付けられた中空円筒状に形成され、その筒内に前記ノズルを収納して保持するノズル保持部を有する手摺りとを備え、
前記手摺りのノズル保持部は、その外周面に開口が形成されていると共に、手摺りの軸心を中心にして周方向を回転可能になされ、
前記ノズルは、前記手摺りのノズル保持部の筒内に、該ノズルの吹出口を、該ノズル保持部の外周側面に形成された開口から突出させた状態で固定されており、
前記ポンプと前記ノズルとを接続する配管は、前記手摺りの筒内を挿通され、該手摺りに収納されたノズルに接続されていることを特徴とする超微霧噴霧機能を備えたバルコニ手摺り。
【請求項２】
前記ノズルは、先端に前記吹出口が形成されたノズル本体と、前記配管に接続されると共に、前記ノズル本体の後端側を回動自在に固定する継ぎ手部とを有し、
前記ノズル本体は、前記継ぎ手部に固定された部位を支点にして、前記手摺りの左右方向に揺動できるようになされていることを特徴とする請求項１に記載の超微霧噴霧機能を備えたバルコニ手摺り。
【請求項３】
水を貯水するタンクと、前記タンクに貯水された水を送るポンプと、前記ポンプに配管を介して接続され、該タンクからの水を超微霧として噴霧するノズルとを備えた超微霧発生装置であって、
建物のバルコニの腰壁に取り付けられた中空円筒状に形成され、その筒内に前記ノズルを収納して保持するノズル保持部を有する手摺りを備え、
前記手摺りのノズル保持部は、その外周面に開口が形成されていると共に、手摺りの軸心を中心にして周方向を回転可能になされ、
前記ノズルは、前記手摺りのノズル保持部の筒内に、該ノズルの吹出口を、該ノズル保持部の外周側面に形成された開口から突出させた状態で固定されており、
前記ポンプと前記ノズルとを接続する配管は、前記手摺りの筒内を挿通されて、該手摺りに収納されたノズルに接続されていることを特徴とする超微霧発生装置。
【発明の詳細な説明】
【技術分野】
【０００１】
本発明は、建築物や建築物に設けられた空間を冷却するための超微霧噴霧機能を備えたバルコニ手摺りおよび超微霧発生装置に関する。
【背景技術】
【０００２】
従来から、噴霧ノズルで超微霧（所謂ドライミスト）を発生させ、水が液体から気体に変わる際に周囲から熱を奪う気化熱を利用して建物等の温度を下げる冷却システムが知られている。
例えば、特許文献１には、建築物の側壁面を冷却する冷却システムの構成が開示されている。
具体的には、特許文献１の冷却システムは、建築物（建物）の側壁面に適宜数備えられた噴霧口と、前記噴霧口へ供給する水を溜めておく貯水槽と、該貯水槽内に設置されて前記噴霧口に水を送る送水ポンプと、前記噴霧口と送水ポンプとを接続する配管とを備えている。
そして、特許文献１の冷却システムは、前記噴霧口から霧を発生させることにより、建築物全体の温度上昇を抑えるようになされている。
【０００３】
また、最近では、超微霧を利用した冷却システムを住宅用に適用した家庭用の超微霧発生装置も提案されている。
ここで、従来から知られている家庭用の超微霧発生装置の構成を図８および図９を用いて説明する。
図８は、従来技術による超微霧発生装置の構成を示したブロック図である。
また、図９は、従来技術による超微霧発生装置を構成するノズルを住宅のバルコニに取り付けた状態を示す斜視図である。
【０００４】
図８に示すように、家庭用の超微霧発生装置は、水道水を貯水する貯水タンク１と、家庭用の１００Ｖ電源で駆動するポンプユニット２と、バルコニの手摺りに取り付けられた噴霧吹き出しノズル２００を備えた配管２１０と、ポンプユニット２と配管２１０とを接続するホース５とを備えている。
なお、噴霧吹き出しノズル２００を備えた配管２１０は、図９に示すように、バルコニ１００の腰壁部の手摺３００の上部に、噴霧吹き出しノズル２００の吹き出し方向が固定された状態で、固定金具３１０により取り付けられていることが一般的である。
【０００５】
そして、前記超微霧発生装置は、ポンプユニット２が、噴霧吹き出しノズル２００に、貯水タンク１に貯められ水を送ることにより、噴霧吹き出しノズル２００からバルコニ内に超微霧が噴霧されるようになされている。
このように超微霧を噴霧することにより、超微霧の気化熱効果でバルコニや建物周囲の空気が冷却され、より自然に近い形で快適な環境に近付けることができる。
【特許文献１】特開２００６−１３８５８９号公報
【発明の開示】
【発明が解決しようとする課題】
【０００６】
しかしながら、上述した従来技術の家庭用の超微霧発生装置は、以下に示す技術的課題を有している。
具体的には、前記超微霧発生装置は、バルコニの手摺りに固定された噴霧吹き出しノズルからバルコニの上方に向けて超微霧を噴霧しているため、バルコニに洗濯物を干している最中に、超微霧を噴霧することができないという技術的課題を有している。すなわち、前記超微霧発生装置は、バルコニの使用状況によっては、利用することができないため、使い勝手が悪かった。
また、上述した従来技術の家庭用の超微霧発生装置は、噴霧吹き出しノズルを備えた配管が、バルコニの手摺り上部に、ムキ出し状態の固定金具により取り付けられているため、ユーザの体が固定金具にぶつかってしまう虞があった。また、固定金具がムキ出し状態になされているため、建物の外観デザインを損ねていた。
【０００７】
本発明は、上記事情に鑑みてなされたものであり、本発明の目的は、建物の外観デザインを損なうことなく安全性が考慮され、且つ使い勝手のよい超微霧噴霧機能を備えたバルコニ手摺りおよび超微霧発生装置を提供することにある。
【課題を解決するための手段】
【０００８】
上記課題を解決するためになされた本発明は、超微霧噴霧機能を備えたバルコニ手摺りに適用される。
そして、前記バルコニ手摺りは、タンクに貯水された水を送るポンプに配管を介して接続され、該タンクからの水を超微霧として噴霧するノズルと、建物のバルコニの腰壁に取り付けられた中空円筒状に形成され、その筒内に前記ノズルを収納して保持するノズル保持部を有する手摺りとを備え、前記手摺りのノズル保持部は、その外周面に開口が形成されていると共に、手摺りの軸心を中心にして周方向を回転可能になされ、前記ノズルは、前記手摺りのノズル保持部の筒内に、該ノズルの吹出口を、該ノズル保持部の外周側面に形成された開口から突出させた状態で固定されており、前記ポンプと前記ノズルとを接続する配管は、前記手摺りの筒内を挿通され、該手摺りに収納されたノズルに接続されていることを特徴としている。
【０００９】
このように本発明によれば、手摺りに、ノズルを収納して保持するノズル保持部を設けている。また、ノズル保持部が手摺りの軸心を中心にして周方向を回転可能に形成されている。また、ノズルは、前記手摺りのノズル保持部の筒内に、該ノズルの吹出口を、該ノズル保持部の外周側面に形成された開口から突出させた状態で固定されている。
そのため、ユーザは、手摺りのノズル保持部を周方向に回転させることにより（ノズル保持部の回転に伴いノズルの吹出口が周方向に回転する）、ノズルの吹出口の向きを任意の位置に設定することができる。その結果、ユーザが所望する方向に超微霧を噴霧することができる。
例えば、手摺りのノズル保持部を周方向に回転させ、ノズルの吹出口の向きをバルコニの外側の領域（例えば庭先）に向けておいて、ポンプを駆動させることにより、バルコニの外側の領域（例えば庭先）に超微霧を噴霧させることができる。このようにすれば、バルコニに洗濯物を干している最中に、超微霧を噴霧しても、洗濯物に影響を与えることが少ない。
このように、本発明によれば、バルコニの使用状況に応じて、ノズルの吹出口の向きを設定することができるため、上述した従来技術のものと比べて、使い勝手が向上する。
【００１０】
また、本発明では、超微霧を噴霧するノズルと、ノズルに水を供給する配管とを手摺りの内部に収納しているため、上述した従来技術（図９参照）のように、固定金具等を手摺りに取り付ける必要がない。
そのため、本発明によれば、手摺りに、固定金具等の突起物が設けられていないため、上述した従来技術のものと比べて安全性が向上する。また、本発明によれば、住宅の外観デザインを損ねることがない。
【００１１】
また、前記ノズルは、先端に前記吹出口が形成されたノズル本体と、前記配管に接続されると共に、前記ノズル本体の後端側を回動自在に固定する継ぎ手部とを有し、前記ノズル本体は、前記継ぎ手部に固定された部位を支点にして、前記手摺りの左右方向に揺動できるようになされていることが望ましい。
上記構成により、手摺りの左右方向（軸心と平行する方向）に吹出口の向きを変更できるため、超微霧を広範囲にムラなく散布することができる。
また、上記の構成により、少ないノズルの数で広範囲の領域に超微霧を噴霧できるため、装置コストの軽減を図ることができる。
【００１２】
また、上記課題を解決するためになされた本発明は、水を貯水するタンクと、前記タンクに貯水された水を送るポンプと、前記ポンプに配管を介して接続され、該タンクからの水を超微霧として噴霧するノズルとを備えた超微霧発生装置に適用される。
そして、前記超微霧発生装置は、建物のバルコニの腰壁に取り付けられた中空円筒状に形成され、その筒内に前記ノズルを収納して保持するノズル保持部を有する手摺りを備え、前記手摺りのノズル保持部は、その外周面に開口が形成されていると共に、手摺りの軸心を中心にして周方向を回転可能になされ、前記ノズルは、前記手摺りのノズル保持部の筒内に、該ノズルの吹出口を、該ノズル保持部の外周側面に形成された開口から突出させた状態で固定されており、前記ポンプと前記ノズルとを接続する配管は、前記手摺りの筒内を挿通されて、該手摺りに収納されたノズルに接続されていることを特徴としている。
【発明の効果】
【００１３】
このように、本発明によれば、建物の外観デザインを損なうことなく安全性が考慮され、且つ使い勝手のよい超微霧噴霧機能を備えたバルコニ手摺りを提供することができる。また、建物の外観デザインを損なうことなく安全性が考慮され、且つ使い勝手のよい超微霧発生装置を提供することができる。
【発明を実施するための最良の形態】
【００１４】
以下、本発明の実施形態について、図面を用いて説明する。
先ず、本実施形態の超微霧発生装置の構成について図１および図２を用いて説明する。
図１は、本発明の実施形態の超微霧発生装置の構成を示したブロック図である。
また、図２は、本発明の実施形態の超微霧発生装置を取り付けた建物を示した模式図である。
なお、本実施形態の説明において、上述した図８に示したものと同じ構成については、同じ符号を付してその説明を省略する。
【００１５】
具体的には、図１に示すように、超微霧発生装置は、建物のバルコニ１００の腰壁１００ｂの上端に取り付けられた中空円筒棒状の手摺り１１０と、手摺り１１０の筒内に収納された（内蔵された）ノズル１０と、ノズル１０に供給する水を貯水するタンク１と、タンク１内に設置されてノズル１０に水を送るポンプユニット２と、ノズル１０とポンプユニット２とを接続するホース（配管）５とを備えている。
また、ノズル１０は、先端に吹出口１２ａが形成され、ホース５を介して、供給される水を超微霧（所謂ドライミスト）として吹出口１２ａから噴霧する。
なお、ポンプユニット２は、電源供給部３に電気的に接続されており、電源供給部３から受ける電力により駆動するようになされている。
また、本実施形態では、ノズル１０に水を接続するための配管としてホース５（例えば、ゴムや樹脂製のホース）を用いるが、あくまでもこれは例示である。
【００１６】
そして、ポンプユニット２が、ホース５を介して、貯水タンク１に貯められた水をノズル１０に送ることにより、ノズル１０から超微霧が噴霧されるようになされている。
なお、貯水タンク１およびポンプユニット２は、図８に示した従来技術のものと同じであるため、ここでの説明を省略する。
【００１７】
また、本実施形態は、図１および図２に示すように、手摺り１１０の内部に収納された（内蔵された）ノズル１０の吹出口１２ａから噴霧する超微霧の噴霧方向を変更できるようになされている。
具体的には、ノズル１０の吹出口１２ａが、手摺り１１０の外周側面に形成された長孔状の開口１１２ａ（図３参照）から突出しており、手摺り１１０の周方向（Ｚ方向）に動かせるようになされている。
また、ノズル１０の吹出口１２ａは、手摺り１１０の外周側面に形成された開口１１２ａ（図３参照）において、左右方向（手摺り１１０の軸心と平行する方向）に吹出口１２ａの向きを変更できるようになされている。
【００１８】
そのため、本実施形態によれば、ユーザが所望する方向に超微霧を噴霧させることができる。
すなわち、本実施形態によれば、バルコニ１００を冷却するだけでなく、例えば、バルコニ１００の下方の庭先を冷却したり、バルコニ１００の上方の軒先１２０を冷却したりすることができる。
【００１９】
つぎに、本実施形態における、手摺り１１０および手摺り１１０に内蔵されたノズル１０の具体的な構成について図３〜図６を用いて説明する。
図３は、本実施形態のバルコニの腰壁の手摺りと、手摺りに内蔵された配管およびノズルとを模式的に示した斜視図である。また、図４は、本実施形態のノズルを内蔵した手摺りの断面図である。
また、図５は、本発明の実施形態の手摺りの内部の配管と、ノズルとの接続関係を示した模式図である。
また、図６は、本発明の実施形態のノズルを上方から見た模式図である。
【００２０】
先ず、手摺り１１０の構造を説明する。
図３に示すように、手摺り１１０は、バルコニ１００の腰壁１００ｂの上端部に立設された（取り付けられた）複数の脚部１１３と、脚部１１３の先端に固定されて支持される中空円筒状（両端が開口している）の複数の固定部１１１とを備えている。なお、複数の固定部１１１は、所定の間隔を開けて、脚部１１３を介して、腰壁１００ｂの上端に固定されている。
さらに、手摺り１１０は、隣接する固定部１１１との間に、固定部１１１と同心に配置され、且つ隣接する固定部１１１同士を連結する中空円筒状（両端が開口している）の回転部（ノズル保持部）１１２を備えている。
【００２１】
そして、図３および図４に示すように、回転部１１２は、両端に連結された（取り付けられた）固定部１１１に対して、軸心Ｓを中心にして周方向（Ｚ方向）に回転できるようになされている（固定部１１１は、脚部１１３により固定されているため回転しない）。
なお、本実施形態は、固定部１１１と回転部１１２との連結方法について特に限定されるものではない。回転部１１２が固定部１１１に対して回転自在に連結されていればどのような方法で連結されていてもよい。
例えば、回転部１１２の両端にネジ溝（メスネジ）を形成し、固定部１１１の両端部に、回転部１１２のネジ溝に螺合するネジ溝（オスネジ）を形成し、回転部１１２と固定部１１１とを螺合して連結するようにしてもよい（なお、回転部１１２が周方向に回転できるように連結される）。
また、図３に示すように、手摺り１１０の回転部１１２の外周側面には、長孔状の開口１１２ａが貫通している（軸心Ｓ方向に長径の長孔状の開口１１２ａが貫通している）。
なお、手摺り１１０は、例えば、ステンレス等の金属により形成されている。
【００２２】
つぎに、ノズル１０の構造を説明する。
図４に示すように、ノズル１０は、両端が開口された略筒状の継ぎ手部１１と、継ぎ手部１１に取り付けられたノズル本体１２とを有している（ノズル本体１２の後端が継ぎ手部１１の側面を貫通している）。
そして、ノズル１０は、ノズル本体１２の先端の吹出口１２ａが回転部１１２の開口１１２ａから突出するように、回転部１１２の筒内に収納される。
また、継ぎ手部１１は、その外周部が、回転部１１２の内筒面に固定された継ぎ手受け部材１３に支持されることにより、回転部１１２の筒内に固定される。
なお、本実施形態の超微霧を噴霧する機能を備えたノズル本体１２は、既存の技術により実現されるものを用いる。また、継ぎ手部１１および継ぎ手受け部材１３は、例えば、ステンレス等の金属により形成されている。
【００２３】
このように、本実施形態では、ノズル１０は、ノズル本体１２の先端の吹出口１２ａが回転部１１２の開口１１２ａから突出した状態で、回転部１１２の筒内に固定される。
ユーザが、回転部１１２を周方向（図示するＺ方向）の回転させることにより、それに伴いノズル１０も回転するため、ノズル本体１２の先端の吹出口１２ａの向きを任意の位置に設定することができる。
【００２４】
また、本実施形態の超微霧発生装置を構成するノズル１０は、図６に示すように、手摺り１１０の左右方向（図示するＸ方向）に吹出口１２ａの向きを変更できるようになされている。
具体的には、図６に示すように、ノズルを構成する継ぎ手部１１は、ノズル本体１２の基端部（後端）１２ｂ側を、前記左右方向に回転自在に固定している。
そのため、ノズル本体１２は、継ぎ手部１１に回転可能に固定された部位を支点にして、前記左右方向（Ｘ方向）に揺動できるようになされる。すなわち、ノズル本体１２は、前記左右方向に首振り動作ができる。
これにより、回転部１１２の開口１１２ａから突出したノズル本体１２の先端の吹出口１２ａの向きを左右方向（Ｘ方向）の任意の位置に向けることができる。
なお、図６に示すように、継ぎ手部１１の両端の開口には、それぞれ、ホース５が接続されている（ホース５は、例えば、連結金具（図示しない）により、継ぎ手部１１に固定される）。
【００２５】
つぎに、手摺り１１０の回転部１１２に内蔵されたノズル１０の配管系統について図５を用いて説明する。
図５に示すように、手摺り１１０を構成する回転部１１２の内部に収納され固定されたノズル１０には、ホース５が接続されて、このホース５により貯水タンク１からの水がポンプユニット２によって供給される。
【００２６】
具体的には、一端部がポンプ２に接続されたホース５ａは、他端部が手摺り１１０の固定部１１１ａの筒内を通って（挿通して）、固定部１１１ａに連結された回転部１１２ａに収納された継ぎ手部１１ａの一端の開口に接続される。
また、継ぎ手部１１ａの他端の開口には、ホース５ｂの一端が接続され、ホース５ｂの他端が、回転部１１２ａに連結された固定部１１１ｂの筒内を通って（挿通して）、固定部１１１ｂに連結された回転部１１２ｂに収納された継ぎ手部１１ｂの一端の開口に接続される。
【００２７】
このように、ホース５を配管することで、ポンプユニット２を介して、複数のノズル１０に、貯水タンク１の水を供給することができる。
そして、バルコニ１００の手摺り１１０に内蔵された複数のノズル１０から超微霧が噴霧される。
【００２８】
つぎに、本実施形態の超微霧発生装置による超微霧の噴霧機能について説明する。
最初に、バルコニ１００を冷却する場合について説明する。
この場合、ユーザは、手摺り１１０の回転部１１２を回転させて（図３に示すＺ１方向に回転させて）、ノズル１０のノズル本体１２の先端の吹出口１２ａをバルコニ１００の床下部１００ａに向ける（この場合、複数の回転部１１２に収納されているノズル１０を、全て同じ方向に向ける）。
そして、バルコニ１００の床下部１００ａにノズル１０の吹出口１２ａを向けた状態でポンプユニット２を駆動させることで、図２に示すように、バルコニ１００の床下部１００ａに超微霧を噴霧できる。これにより、バルコニ１００を冷却することができる。
【００２９】
また、バルコニ１００の上方の建物の軒先１２０を冷却する場合、ユーザは、手摺り１１０の回転部１１２を回転させて（図３に示すＺ２方向に回転させて）、ノズル１０のノズル本体１２の先端の吹出口１２ａをバルコニ１００の上方の軒先１２０に向ける（この場合、複数の回転部１１２に収納されているノズル１０を、全て同じ方向に向ける）。
そして、バルコニ１００の上方の軒先１２０に、ノズル１０の吹出口１２ａを向けた状態でポンプユニット２を駆動させることで、図２に示すように、軒先１２０に向けて超微霧を噴霧できる。これにより、建物上部を冷却することができる。
【００３０】
また、建物の外の庭を冷却する場合、ユーザは、手摺り１１０の回転部１１２を回転させて（図３に示すＺ２方向（又はＺ１方向）に回転させて）、ノズル１０のノズル本体１２の先端の吹出口１２ａをバルコニ１００の下側にある庭に向ける（この場合、複数の回転部１１２に収納されているノズル１０を、全て同じ方向に向ける）。
そして、バルコニ１００の下側にある庭に、ノズル１０の吹出口１２ａを向けた状態でポンプユニット２を駆動させることで、図２に示すように、バルコニ１００（この例では、上階のバルコニ）から庭に向けて超微霧を噴霧することができる（図２参照）。
この場合には、バルコニ１００に洗濯物を干していても、洗濯物に影響を与える影響は少ない。すなわち、本実施形態の超微霧発生装置は、バルコニ１００に洗濯物を干していても、庭の冷却に利用することができる。
【００３１】
また、本実施形態では、ノズル１０の吹出口１２ａは、左右方向（図３に示すＸ方向）に吹出口１２ａの向きを変更できるようになされている。
そのため、図７に示すように、１つのノズル１０が広範囲の領域に、超微霧を噴霧することができるようになる。
そのため、本実施形態によれば、少ないノズル１０の数で広範囲の領域に超微霧を噴霧できるため、装置コストの軽減を図ることができる。
【００３２】
以上説明したように、本実施形態によれば、手摺り１１０に、ノズル１０を収納して保持する回転部（ノズル保持部）１１２を設けている。また、回転部１１２が手摺り１１０の軸心Ｓ（図３参照）を中心にして周方向（Ｚ方向）を回転できるように形成されている。また、ノズル１０は、回転部１１２の筒内に、ノズル１０の吹出口１２ａを、回転部１１２の外周側面に形成された開口１１２ａから突出させた状態で固定されている。
そのため、本実施形態によれば、手摺り１１０の回転部１１２を動かすことにより、ノズル１０の吹出口１２ａの向きを変更することができる。
例えば、ノズル１０を動かして、ノズル本体１２の先端の向きを庭先に向けることにより、バルコニ１００に洗濯物を干している最中にも、超微霧発生装置を利用することができ、超微霧発生装置の使い勝手が向上する。
【００３３】
また、本実施形態では、手摺り１１０の左右方向に吹出口１２ａの向きを変更できるようになされているため、超微霧を広範囲にムラなく散布することができる。そのため、本実施形態によれば、効率的に外気温を下げることができ、省エネで快適な住空間が実現される。
【００３４】
また、本実施形態では、超微霧を噴霧するノズル１０と、ノズル１０に水を供給するホース５とを手摺り１１０の内部に収納するようになされているため、上述した従来技術（図９参照）のように、固定金具や配管を手摺り１１０に取り付ける必要がない。
すなわち、本実施形態によれば、手摺り１１０に、固定金具等の突起物が設けられていないため、安全性が向上すると共に、住宅の外観デザインを損なうことがない。
【００３５】
また、本実施形態では、手摺り１１０に、固定部１１１と回転部１１２とを設けて、回転部１１２にノズル１０を収納するようにしている。そして、手摺り１１０の回転部１１２を回転させるという簡単な操作により、ノズル１０の向きを変更できるようになされている。
すなわち、本実施形態によれば、ユーザにとり、操作性の良い、使い勝手のよい超微霧発生装置を提供することができる。
なお、本発明は、上述した実施形態に限定されるものではなく、その要旨の範囲内において種々の変更が可能である。
【００３６】
例えば、本実施形態では、バルコニ１００の手摺り１１０にノズル１０が内蔵されているが、特にこれに限定されるものではない。バルコニ１００以外の手摺り１１０であっても本実施形態を適用することができる。
【図面の簡単な説明】
【００３７】
【図１】本発明の実施形態の超微霧発生装置の構成を示したブロック図である。
【図２】本発明の実施形態の超微霧発生装置を取り付けた建物を示した模式図である。
【図３】本発明の実施形態のバルコニの腰壁の手摺りと、手摺りに内蔵された配管およびノズルとを模式的に示した斜視図である。
【図４】本発明の実施形態のノズルを内蔵した手摺りの断面図である。
【図５】本発明の実施形態の手摺りの内部の配管と、ノズルとの接続関係を示した模式図である。
【図６】本発明の実施形態のノズル１０を上方から見た模式図である。
【図７】本発明の実施形態のノズル１０からの超微霧の噴霧範囲を示した模式図である。
【図８】従来技術による超微霧発生装置の構成を示したブロック図である。
【図９】従来技術による超微霧発生装置を構成するノズルを住宅のバルコニに取り付けた状態を示す斜視図である。
【符号の説明】
【００３８】
１    タンク
２    ポンプユニット
３    電源供給部
５    ホース（配管）
１０    ノズル
１１    継ぎ手部（ノズル）
１２    ノズル本体（ノズル）
１２ａ    吹出口（ノズル）
１３    継ぎ手受け部材
１００    バルコニ
１００ａ    床下部（バルコニ）
１００ｂ    腰壁（バルコニ）
１１０    手摺り
１１１    固定部（手摺り）
１１２    回転部（手摺り）
１１２ａ  開口（手摺り）
１１３    脚部（手摺り）
１２０    軒先
【図１】
2010138566.tif 000003
【図２】
2010138566.tif 000004
【図３】
2010138566.tif 000005
【図４】
2010138566.tif 000006
【図５】
2010138566.tif 000007
【図６】
2010138566.tif 000008
【図７】
2010138566.tif 000009
【図８】
2010138566.tif 000010
【図９】
2010138566.tif 000011